(57)【特許請求の範囲】
【請求項１】
被包装体が包装用フィルムで包装されたフィルム包装体であって、
前記包装用フィルムの開封片部にその表面より突出する凸状体が配されており、
前記包装用フィルムは、基材と、該基材の内面に貼り付けられて配設されたテアテープとを含んで構成され、該テアテープが前記被包装体の周りに巻回され、該包装用フィルムの両側縁部どうしが所定幅の重なりしろを有して重ね合わされた状態で接合されており、該重なりしろの外側に位置する該包装用フィルムの端部に、該テアテープを挟むように２つの切り込みが水平に入れられて前記開封片部が形成されており、
前記包装用フィルムにおける前記開封片部の両側の２つの前記切り込みを挟んだ隣接部分に、その表面より突出する凸状体が配されているフィルム包装体。
【請求項２】
被包装体が包装用フィルムで包装されたフィルム包装体であって、
前記包装用フィルムの開封片部の内側に位置するように前記被包装体にその表面より突出する凸状体が配されており、
前記包装用フィルムは、基材と、該基材の内面に貼り付けられて配設されたテアテープとを含んで構成され、該テアテープが前記被包装体の周りに巻回され、該包装用フィルムの両側縁部どうしが所定幅の重なりしろを有して重ね合わされた状態で接合されており、該重なりしろの外側に位置する該包装用フィルムの端部に、該テアテープを挟むように２つの切り込みが水平に入れられて前記開封片部が形成されており、
前記包装用フィルムにおける前記開封片部の両側の２つの前記切り込みを挟んだ隣接部分の内側に位置するように、前記被包装体の表面に凸状体が配されているフィルム包装体。
【請求項３】
前記凸状体がホットメルト接着剤で形成されている請求項１又は２に記載のフィルム包装体。
【発明の詳細な説明】
【技術分野】
【０００１】
本発明は、被包装体が包装用フィルムで包装されたフィルム包装体に関する。
【背景技術】
【０００２】
六面体形状の外箱に製品が収容され、該外箱をさらにテアテープが内面に配された包装用フィルムで包装した包装体が広く提供されている。
【０００３】
ところで、この種のフィルム包装体の開封は、前記テアテープを用いてフィルムを引き裂くことで行なわれる。そのために、テアテープを含む幅で包装用フィルムの端に設けられた開封用片部を探し、これを引き起こしてテアテープを掴む必要があるが、包装用フィルムが外箱に密着していると、爪などで当該片部を引き起こしたりする必要があった。また、外箱が透明に近い場合などには、開封用片部を見つけにくいという課題を有していた。
【０００４】
このようなフィルム包装体の開封に関する課題を解決する手段として、下記特許文献１に記載の包装体のように、テアテープとは別にフィルムに開封用の切目を設けることも提案されているが、見た目が悪いものであった。
【０００５】
【特許文献１】特開平１１−３１０２７０号公報
【発明の開示】
【発明が解決しようとする課題】
【０００６】
本発明は、上記課題に鑑みてなされたものであり、美観を損なわず、開封操作も行い易いフィルム包装体を提供することを目的とする。
【課題を解決するための手段】
【０００７】
本発明は、被包装体が包装用フィルムで包装されたフィルム包装体であって、前記包装用フィルムの開封片部にその表面より突出する凸状体が配されているフィルム包装体を提供することにより、前記目的を達成したものである。
【０００８】
また、本発明は、被包装体が包装用フィルムで包装されたフィルム包装体であって、前記包装用フィルムの開封片部の内面に当接するように前記被包装体にその表面より突出する凸状体が配されているフィルム包装体を提供することにより、前記目的を達成したものである。
【発明の効果】
【０００９】
本発明のフィルム包装体は、美観を損なわず、容易に開封ができて被包装体を好適に取り出すことができる。
【発明を実施するための最良の形態】
【００１０】
以下本発明を、その好ましい実施形態に基づき図面を参照しながら説明する。
図１に示すように、本実施形態のフィルム包装体１は、被包装体２が包装用フィルム３で包装されたものである。
【００１１】
本実施形態では、被包装体２は、内容物が充填された容器２１が、六面体形状の外箱２２内に収められたものである。そして、外箱２２の全体が包装用フィルム３で包装されている。
【００１２】
包装用フィルム３には、従来からこの種のフィルム包装に使用されている。本実施形態では、透明の合成樹脂製のフィルムからなる基材３１の内面に、テアテープ３２が貼り付けられて配設された包装用フィルムが採用される。
【００１３】
包装用フィルム３は、テアテープ３２が外箱２２の胴部の周りに水平に位置するように外箱２２の周りに巻回され、両側縁部どうしが所定幅Ｗの重なりしろを有して重ね合わされた状態で接合されている。図２において斜線部分は接合部分を示しており、重ねられ上側となっている包装用フィルム３の端部は接合されていない。包装用フィルム３の上下の端部は、それぞれ外箱２２の天面部及び底面部で折り重ねられて接合されている。
【００１４】
外箱２２の胴部における包装用フィルム３の前記重なりしろの外側に位置するフィルムの端部には、テアテープ３２を挟むように２つの切り込みが水平に入れられて開封片部３３が形成されている。切り込みはフィルムの垂直端部より重なりしろの接合部分まで達している。重なりしろの非接合部分の幅は、フィルム端部を指で容易に摘めることを考慮すると、３〜５ｍｍが好ましい。
【００１５】
本実施形態では、前記開封片部３３及び開封片部３３の両側の前記切り込みを挟んだ隣接部分３４、３５に、指先を掛けることができるだけの厚みを有する、それらの表面より突出させた凸状体４が配されている。本実施形態のように、開封片部３３に加えてその両側の隣接部分にも凸状体４を配することによって、指への掛かりをより広くすることができるほか、開封片部３３の凸状体４のみをテアテープ３２の方向に沿って滑らせて包装用フィルム３を引き裂きやすくできるため、フィルム包装体１をさらに容易に開封することができる。開封片部３３及び隣接部分３４、３５に配する凸状体４の数は、安定した指への掛かりを確保するために２個以上とすることもできる。
【００１６】
凸状体４は、包装用フィルム３の外面（表面）に配されている。凸状体４の高さＨは、安定した指への掛かりを考慮すると、０．５〜２．０ｍｍが好ましい。
【００１７】
本実施形態では、凸状体４は、ホットメルト接着剤で形成されている。凸状体４を形成するホットメルト接着剤としては、ＥＶＡ、ＳＩＳ、ＳＥＢＳ、ＥＥＡ、ＥＡＡ系のホットメルト接着剤が好ましい。
【００１８】
上述のように構成されるフィルム包装体１を開封するときには、包装用フィルム３の開封片部３３に配された凸状体４を指で押さえて開封方向に滑らせるように操作すると、包装用フィルム３の開封片部３３に連なる部分がテアテープ３２に沿って引き裂かれて開封される。
【００１９】
以上説明したように、本実施形態のフィルム包装体１は、開封片部３３及びその両側の切り込みを挟んだ隣接部分３４、３５に凸状体４が配されており、開封時には、開封片部３３に配された凸状体４を指で押さえて開封方向に滑らせるように操作するだけで、包装用フィルム３を容易に開封することができる。このため、従来のように、爪などで開封片部３３を引き起こしたりする必要がなく容易に開封操作を行うことができる。また、開封片部２２も、凸状体４の感触で容易に探し出すことができる。
【００２０】
図３は、本発明の第２実施形態のフィルム包装体を示すものである。第２実施形態のフィルム包装体１’は、凸状体の配設箇所が異なる以外は、第１実施形態のフィルム包装体１’と同様の構成である。よって、以下では、その異なる部分について説明し、共通する部分については、同一符号を付してその説明は省略する。よって、特に説明のない部分については、第１実施形態の説明が適宜適用される。
【００２１】
図３に示すように、第２実施形態のフィルム包装体１’は、包装用フィルム３の開封片部３３及びその両側の隣接部分３４、３５の内側に位置するように、被包装体２の外箱２２の胴部表面に凸状体４が配されている。包装用フィルム３における重ねられ上側となっている端部は接合されていないため、開封片部３３が浮き上がった状態となり、当該浮き上がった開封片部３３の浮き上がった部分を指で押さえて開封方向に滑らせるように操作するだけで、包装用フィルム３を容易に開封することができる。このため、従来のように、爪などで開封片部３３を引き起こしたりする必要がなく、容易に開封操作を行うことができる。また、開封片部３３が浮き上がっているので、当該開封片部３３を容易に見つけ出すことができる。さらに、凸状体４が包装用フィルム３の内側に配されているので、美観を損なうことがなく、また、接触などによっても凸状体４がとれにくい形態である。
【００２２】
本発明は、前記実施形態に制限されない。
前記実施形態のフィルム包装体１、１’では、凸状体４をホットメルト接着剤で形成したが、凸状体４はこの形態に制限されるものではない。例えば、開封片部の外面や外箱に厚塗りの印刷を施すことで凸状体４を形成することもできるし、樹脂で凸状体を形成したタックラベルを貼り付けることによって、凸状体を形成することもできる。
【００２３】
また、本発明は、被包装体の形態や材質に特に制限はなく、前記実施形態のような六面体状の外箱にも適用できるし、樹脂製の外箱以外に紙箱にも適用できる。
【００２４】
また、前記実施形態では、開封片部及びその両側の隣接部分の表面、又は被包装体の表面における開封片部及びその両側の隣接部分の内側に位置する部分に、それぞれ凸状体を配したが、開封片部の表面、又は被包装体における開封片部の内側に位置する部分にのみ凸状体を配することもできる。凸状体４の形状についても、本発明の効果が奏される形状であれば、特に制限はなく、前記実施形態のような半球状のほか、例えば図４に示す第３実施形態のフィルム包装体１’のように、１/４球状体とすることもできる。
【図面の簡単な説明】
【００２５】
【図１】本発明のフィルム包装体の第１実施形態を示す斜視図である。
【図２】同実施形態のフィルム包装体における要部の部分拡大図であり、（ａ）は側面図、（ｂ）は（ａ）における包装用フィルムのＡ−Ａ矢視断面図である。
【図３】本発明のフィルム包装体の第２実施形態における要部の部分拡大図（図２相当図）であり、（ａ）は側面図、（ｂ）は（ａ）における包装用フィルムのＢ−Ｂ矢視断面図である。
【図４】本発明のフィルム包装体の第３実施形態における要部の部分拡大図（図２相当図）であり、（ａ）は側面図、（ｂ）は（ａ）における包装用フィルムのＣ−Ｃ矢視断面図である。
【符号の説明】
【００２６】
１、１’  フィルム包装体
２  被包装体
２１  容器
２２  外箱
３  包装用フィルム
３１  基材
３２  テアテープ
３３  開封片部
３４、３５  隣接部分
４  凸状体
【図１】
0004982268.tif 000002
【図２】
0004982268.tif 000003
【図３】
0004982268.tif 000004
【図４】
0004982268.tif 000005